(57)【要約】【課題】不要な外部磁気の遮断効果を有する一方で、電波の受信精度の向上が図れる電波受信装置を提供すること。【解決手段】電波受信装置である腕時計１００は、外部磁性体３３が連結されたアンテナ構造体３０を備えており、そのアンテナ構造体３０のアンテナコア３１の両端部に磁気的に結合されている外部磁性体３３が標準電波の磁束を引き付けるように良好に集めて、アンテナコア３１を透過する磁束を良好に捕捉することができるので、標準電波の受信感度や受信精度を高めることができる。また、外部磁性体３３が、ハウジング２０の上面側と下面側にそれぞれ配設されており、その外部磁性体３３がモータＭ２の上面および下面側を覆い外部からの磁気を遮蔽することで、外部磁気がモータＭ２に到達し難くなることから、モータＭ２に対する外部磁気の影響を低減して、時計精度を向上させることができる。【選択図】図２
2009250667.tif 000002
【特許請求の範囲】
【請求項１】
少なくとも１つのモータと、
両端部を有するアンテナコアとこのアンテナコアに巻回されたコイルとを有するアンテナ構造体と、
このアンテナ構造体と前記モータとを備えているハウジングと、
このハウジングを収納する筒状の筐体と、
この筐体の上部開口を閉塞する上部閉塞部材と、
前記筐体の下部開口を閉塞する下部閉塞部材と、
前記アンテナコアの少なくとも一端部と磁気的に結合する磁気結合部と、前記モータへの外部からの磁気を遮蔽するとともに外部からの電波の磁束を集める集磁部とを有する外部磁性体と、を備え、
前記外部磁性体は、前記モータと前記上部閉塞部材との間および前記モータと前記下部閉塞部材との間にそれぞれ配置されていることを特徴とする電波受信装置。
【請求項２】
第一および第二の各モータと、
両端部を有するアンテナコアとこのアンテナコアに巻回されたコイルとを有するアンテナ構造体と、
このアンテナ構造体と前記モータとを備えているハウジングと、
このハウジングを収納する筒状の筐体と、
この筐体の上部開口を閉塞する上部閉塞部材と、
前記筐体の下部開口を閉塞する下部閉塞部材と、
前記アンテナコアの少なくとも一端部と磁気的に結合する磁気結合部と、前記第一および第二の各モータへの外部からの磁気を遮蔽するとともに外部からの電波の磁束を集める集磁部とを有する第一および第二の各外部磁性体と、を備え、
前記第一の外部磁性体は、前記第一のモータと前記上部閉塞部材との間、および、前記第二の外部磁性体は、前記第二のモータと前記下部閉塞部材との間にそれぞれ配置されていることを特徴とする電波受信装置。
【請求項３】
前記アンテナコアと前記外部磁性体とは、前記磁気結合部において、磁性連結部材により連結されていることを特徴とする請求項１又は２に記載の電波受信装置。
【請求項４】
前記外部磁性体は、第一の外部磁性体と第二の外部磁性体とを備えており、前記第一の外部磁性体は、前記アンテナコアの一端部と磁気的に結合して前記モータと前記上部閉塞部材との間に配置され、前記第二の外部磁性体は、前記アンテナコアの他端部と磁気的に結合して前記モータと前記下部閉塞部材との間に配置されていることを特徴とする請求項１に記載の電波受信装置。
【請求項５】
前記第一の外部磁性体の集磁部と、前記第二の外部磁性体の集磁部とで、前記モータを上下に挟んでいることを特徴とする請求項４に記載の電波受信装置。
【発明の詳細な説明】
【技術分野】
【０００１】
本発明は、電波受信装置に関する。
【背景技術】
【０００２】
電子機器の一種として、時刻情報を含む標準電波を受信して自動的に現在時刻を修正する電波時計が知られている。このような電波時計において、標準電波を受信する電波受信装置として、磁性材料であるアモルファス金属やフェライト等で構成されたコアにコイルを巻回したアンテナ装置が広く用いられている。
【０００３】
一方、モータで指針を駆動する時計の場合、時計制御に不要な外部磁気によって指針駆動に影響が出て、時計精度が低下することがある。このため、外部磁気を遮断する耐磁板を時計ケース内に設けることによって時計精度の保持を図ることが行われている。このような耐磁対策は、指針駆動に関して一般の時計と同様の構造を有する電波時計においても時計精度の保持のために必要とされる。
【０００４】
ところで、電波時計は、時刻情報を含む標準電波を受信し、この電波から時刻情報を取り出すことにより正確な時刻を得て表示するものであることから、外部磁気を遮断するために耐磁板でモータ等のムーブメントを被覆すると、今度は、標準電波の受信が困難となり、その受信性能が低下するおそれがある。
【０００５】
そこで、従来、モータ等のムーブメントを耐磁板で被覆する一方、この耐磁板に開口を設け、この開口からアンテナ装置（電波受信装置）における磁性体のコイル巻回部を露出させることによって、受信性能の低下を防ぐようにした発明が提案されている（例えば、特許文献１参照。）。
【特許文献１】特開２００４−２９４２５８号公報
【発明の開示】
【発明が解決しようとする課題】
【０００６】
しかしながら、上記特許文献１に記載の発明によれば、耐磁板に開口を設け、その開口からアンテナ装置のコイル巻回部を露出させる構造であるため、時計ケースの広い範囲が耐磁板で被覆されてしまうこととなり、耐磁板でアンテナ装置のコイル巻回部までをも被覆する場合に比べれば、多少は受信感度が向上するものの、耐磁板の存在によって磁束のアンテナ装置への集束が制限されてしまい、さほどの受信感度の向上は望めなかった。
【０００７】
本発明は、上記課題に鑑みて為されたものであり、不要な外部磁気の遮断効果を有する一方で、電波の受信精度の向上が図れる電波受信装置を提供することを目的とする。
【課題を解決するための手段】
【０００８】
以上の課題を解決するため、請求項１に記載の発明は、電波受信装置であって、
少なくとも１つのモータと、
両端部を有するアンテナコアとこのアンテナコアに巻回されたコイルとを有するアンテナ構造体と、
このアンテナ構造体と前記モータとを備えているハウジングと、
このハウジングを収納する筒状の筐体と、
この筐体の上部開口を閉塞する上部閉塞部材と、
前記筐体の下部開口を閉塞する下部閉塞部材と、
前記アンテナコアの少なくとも一端部と磁気的に結合する磁気結合部と、前記モータへの外部からの磁気を遮蔽するとともに外部からの電波の磁束を集める集磁部とを有する外部磁性体と、を備え、
前記外部磁性体は、前記モータと前記上部閉塞部材との間および前記モータと前記下部閉塞部材との間にそれぞれ配置されていることを特徴とする。
【０００９】
請求項２に記載の発明は、電波受信装置であって、
第一および第二の各モータと、
両端部を有するアンテナコアとこのアンテナコアに巻回されたコイルとを有するアンテナ構造体と、
このアンテナ構造体と前記モータとを備えているハウジングと、
このハウジングを収納する筒状の筐体と、
この筐体の上部開口を閉塞する上部閉塞部材と、
前記筐体の下部開口を閉塞する下部閉塞部材と、
前記アンテナコアの少なくとも一端部と磁気的に結合する磁気結合部と、前記第一および第二の各モータへの外部からの磁気を遮蔽するとともに外部からの電波の磁束を集める集磁部とを有する第一および第二の各外部磁性体と、を備え、
前記第一の外部磁性体は、前記第一のモータと前記上部閉塞部材との間、および、前記第二の外部磁性体は、前記第二のモータと前記下部閉塞部材との間にそれぞれ配置されていることを特徴とする。
【００１０】
請求項３に記載の発明は、請求項１又は２に記載の電波受信装置において、
前記アンテナコアと前記外部磁性体とは、前記磁気結合部において、磁性連結部材により連結されていることを特徴とする。
【００１１】
請求項４に記載の発明は、請求項１に記載の電波受信装置において、
前記外部磁性体は、第一の外部磁性体と第二の外部磁性体とを備えており、前記第一の外部磁性体は、前記アンテナコアの一端部と磁気的に結合して前記モータと前記上部閉塞部材との間に配置され、前記第二の外部磁性体は、前記アンテナコアの他端部と磁気的に結合して前記モータと前記下部閉塞部材との間に配置されていることを特徴とする。
【００１２】
請求項５に記載の発明は、請求項４に記載の電波受信装置において、
前記第一の外部磁性体の集磁部と、前記第二の外部磁性体の集磁部とで、前記モータを上下に挟んでいることを特徴とする。
【発明の効果】
【００１３】
本発明によれば、電波受信装置は、外部磁性体が連結されたアンテナ構造体を備えており、そのアンテナ構造体のアンテナコアの少なくとも一端部に磁気的に結合されている外部磁性体の集磁部が、標準電波の磁束を引き付けるように良好に集めて、アンテナコアを透過する磁束を良好に捕捉することができるので、標準電波の受信感度や受信精度を高めることができる。
また、外部磁性体が、モータの上面や下面を覆い外部からの磁気を遮蔽することで、外部磁気がモータに到達し難くなることから、モータに対する外部磁気の影響を低減して、時計精度を向上させることができる。
【発明を実施するための最良の形態】
【００１４】
以下に、本発明について、図面を用いて具体的な態様を説明する。ただし、発明の範囲は、図示例に限定されない。
【００１５】
（実施形態１）
図１は、本発明の実施形態１における電波受信装置を電波腕時計（以下、腕時計）に適用した場合の平面図であり、図２は図１における腕時計の分解斜視図、図３は図１のIII−III線に沿う矢視断面図、図４は時計ケースに設置されたアンテナ構造体の平面図、図５は図４のV−V線に沿う矢視断面図、図６は図１に示す腕時計の機能構成を示すブロック図である。
【００１６】
図１、図３に示すように、腕時計１００は、機器本体２を備え、その機器本体２の上下両端部、すなわち１２時方向側端部及び６時方向側端部には時計バンドＢが取り付けられている。
また、機器本体２の外周部には、腕時計１００の各種機能の実行を指示するためのスイッチ３が設けられている。また、機器本体２の内部は中空になっている。
【００１７】
機器本体２は、図１から図３に示すように、筒状の筐体である時計ケース１０と、この時計ケース１０の上部開口を閉塞する上部閉塞部材としての時計ガラス１２と文字板２１と、時計ケース１０の下部開口を閉塞する下部閉塞部材としての裏蓋１４等を備えている。
具体的には、ステンレスやチタン等の金属材料からなる時計ケース１０の上部開口を塞ぐように時計ガラス１２がパッキン１３を介して時計ケース１０の上部開口に嵌められている。一方、時計ケース１０の下部開口を塞ぐように裏蓋１４がＯリング１５を介して時計ケース１０の下部開口に取り付けられている。裏蓋１４は、ステンレスやチタン等の金属材料からなる略平板形状を呈する蓋体である。
【００１８】
時計ケース１０の内部には、標準電波を受信するアンテナ構造体３０、アナログ指針機構４０、モータＭ（Ｍ１，Ｍ２）、これらと接続してアンテナ構造体３０やアナログ指針機構４０を制御する受信制御回路部６００等が設けられている回路基板、これら電子部品を内蔵しているハウジング２０、このハウジング２０が納められたハウジングケース１１等が収納されている。そして、ハウジング２０の上方に文字板２１が配置されている。
ハウジング２０は、アンテナ構造体３０、アナログ指針機構４０、モータＭ等の電子部品を機器本体２内に固定するためのケース体であり、合成樹脂などの非磁性材料によって形成されている。なお、ハウジングケース１１も非磁性材料によって形成されている。
【００１９】
アナログ指針機構４０は、文字板２１の中央部に形成された軸孔からその上方に伸びる指針軸１と、この指針軸１に取り付けられた時針や分針等の指針２２とを有している。この指針２２は、このアナログ指針機構４０を駆動するモータＭ１によって、文字板２１の上方で運針される。
また、アナログ指針機構４０に接続されている回路基板は、例えば、図６に示すように、ＣＰＵ等の制御ＩＣと、発振回路を有して現在時刻を計時する計時回路である計時制御回路部７００と、アンテナ構造体３０による受信信号を増幅・検波して標準電波に含まれるタイムコードを取り出す受信回路である受信制御回路部６００とを回路要素としている。制御ＩＣは、受信回路で取り出されたタイムコードに基づいて計時回路による現在時刻を修正し、修正した現在時刻を示すようにアナログ指針機構４０を制御して指針２２を運針させる処理等を行う。
【００２０】
アンテナ構造体３０は、図１から図５に示すように、磁性体であるアンテナコア３１と、このアンテナコア３１に巻回されたコイル３２と、を備えて構成されている。
【００２１】
アンテナコア３１は、コイル３２が巻回されているコイル巻回部３１ａと、コイル３２が巻回されないコイル非巻回部である一端部３１ｂと他端部３１ｃと、を備えている。
一端部３１ｂと他端部３１ｃは、コイル巻回部３１ａの両側からそれぞれ突出するように設けられている。そして、この一端部３１ｂと他端部３１ｃにそれぞれ外部磁性体３３が取り付けられている。
このアンテナコア３１は、例えば、フェライトや、アモルファス、パーマロイなどの磁性材料からなる複数の薄膜状磁性体が積層されてなる積層コアとして形成されている。
【００２２】
外部磁性体３３は、アンテナコア３１の一端部３１ｂ又は他端部３１ｃと磁気的に結合する磁気結合部３３ｂと、モータＭへの外部からの磁気を遮蔽するとともに外部からの電波の磁束を集める集磁部３３ａとを有している。
この外部磁性体３３は、例えば、フェライトや、アモルファス、パーマロイなど比較的高い透磁率を有する磁性材料からなる薄板が略半円形状を呈するように形成されている。
【００２３】
そして、外部磁性体３３は、ハウジング２０の上面側に位置する２つの第一の外部磁性体３３Ｕと、ハウジング２０の下面側に位置する２つの第二の外部磁性体３３Ｄと、によって構成されている。
第一の外部磁性体３３Ｕは、アンテナコア３１の一端部３１ｂに取り付けられる左側の第一の外部磁性体３３Ｕ１と、アンテナコア３１の他端部３１ｃに取り付けられる右側の第一の外部磁性体３３Ｕ２とを備えている。
また、第二の外部磁性体３３Ｄは、アンテナコア３１の一端部３１ｂに取り付けられる左側の第二の外部磁性体３３Ｄ１と、アンテナコア３１の他端部３１ｃに取り付けられる右側の第二の外部磁性体３３Ｄ２とを備えている。
【００２４】
そして、第一の外部磁性体３３Ｕ１と第二の外部磁性体３３Ｄ１は、アンテナコア３１の一端部３１ｂに、ハウジング２０を挟んで磁気的に結合されており、また、第一の外部磁性体３３Ｕ２と第二の外部磁性体３３Ｄ２は、アンテナコア３１の他端部３１ｃに、ハウジング２０を挟んで磁気的に結合されている。
具体的には、これら外部磁性体３３の磁気結合部３３ｂと、アンテナコア３１の一端部３１ｂ又は他端部３１ｃとは、磁性材料からなる磁性連結部材としてのねじ３４により連結されており、その結果、外部磁性体３３とアンテナコア３１とはこのねじ３４を介して磁気的に結合している。なお、ねじ３４は、パイプ状のワッシャ３６を介して外部磁性体３３とアンテナコア３１とを連結している。
【００２５】
アンテナコア３１の一端部３１ｂに結合する第一の外部磁性体３３Ｕ１と、アンテナコア３１の他端部３１ｃに結合する第一の外部磁性体３３Ｕ２とで対をなす一対の第一の外部磁性体３３Ｕ１，３３Ｕ２は、ハウジング２０の上面側であって、モータＭ２と時計ガラス１２（文字板２１）との間に配置されている。
また、アンテナコア３１の一端部３１ｂに結合する第二の外部磁性体３３Ｄ１と、アンテナコア３１の他端部３１ｃに結合する第二の外部磁性体３３Ｄ２とで対をなす、もう一対の第二の外部磁性体３３Ｄ１，３３Ｄ２は、ハウジング２０の下面側であって、モータＭ２と裏蓋１４（ハウジングケース１１）との間に配置されている。
すなわち、第一の外部磁性体３３Ｕと、第二の外部磁性体３３Ｄとは、ハウジング２０内に備えられているモータＭ２の上面側と下面側をそれぞれ覆うようになっている。より具体的には、第一の外部磁性体３３Ｕの集磁部３３ａと第二の外部磁性体３３Ｄの集磁部３３ａとがモータＭ２を上下に挟んで覆うようになっている。
【００２６】
この腕時計１００のその中央側には、アナログ指針機構４０を駆動するモータＭ１が備えられており、そのモータＭ１を挟んで左側及び右側の位置に２つのモータＭ２がそれぞれ備えられている。
そして、モータＭ１の左側に位置するモータＭ２Ｌは、アンテナコア３１の一端部３１ｂに結合する第一の外部磁性体３３Ｕ１と第二の外部磁性体３３Ｄ１とによって挟まれており、モータＭ１の右側に位置するモータＭ２Ｒは、アンテナコア３１の他端部３１ｃに結合する第一の外部磁性体３３Ｕ２と第二の外部磁性体３３Ｄ２とによって挟まれている。
【００２７】
ハウジング２０の上面側に配置される一対の第一の外部磁性体３３Ｕ１，３３Ｕ２の間であってモータＭ１の上方には、耐磁板３５（３５Ｕ）が備えられている。
一方、ハウジング２０の下面側に配置されるもう一対の第二の外部磁性体３３Ｄ１，３３Ｄ２の間であってモータＭ１の下方には、耐磁板３５（３５Ｄ）が備えられている。
この耐磁板３５（３５Ｕ、３５Ｄ）は、外部磁性体３３よりも比較的低い透磁率を有する磁性材料からなり、薄板状に形成されている。
【００２８】
なお、ハウジング２０の上面と下面には、それぞれ非磁性部２０ａが形成されており、その非磁性部２０ａの存在により、アンテナコア３１の一端部３１ｂと他端部３１ｃとが磁気的に分離されている。
また、外部磁性体３３，３３同士も磁気的に分離されている。さらに、外部磁性体３３，３３と耐磁板３５の間には隙間が設けられており、外部磁性体３３と耐磁板３５も磁気的に分離されている。
また、外部磁性体３３と耐磁板３５とは、ハウジング２０の上面および下面にそれぞれ配されており、そのハウジング２０によってその姿勢が安定するように支持されているので、それぞれ良好に電波の磁束を集めたり、確実に外部磁気を遮蔽したりするようになっている。
【００２９】
図６は、腕時計１００の内部構成を示すブロック図である。同図によれば、腕時計１００は、ＣＰＵ１０１と、入力部２００と、表示部３００と、ＲＯＭ４００と、ＲＡＭ５００と、受信制御回路部６００と、計時制御回路部７００と、発振回路部７２０とを備えて構成されている。
【００３０】
ＣＰＵ１０１は、所定のタイミング或いは入力部２００から入力された操作信号に応じてＲＯＭ４００に格納されたプログラムを読み出してＲＡＭ５００に展開し、そのプログラムに基づいて腕時計１００を構成する各部への指示やデータの転送等を行う。具体的には、例えば、所定時間毎に受信制御回路部６００を制御して標準電波の受信を行わせ、受信信号を基に計時制御回路部７００で計時される現在時刻データを修正する処理や、計時制御回路部７００によって計時された現在時刻を表示部３００に表示させる処理等を行う。
【００３１】
入力部２００は、腕時計１００の各種機能の実行を指示するためのスイッチ３を含み、このスイッチ３が操作されると、対応する操作信号をＣＰＵ１０１に出力する。
表示部３００は、文字板２１や、ＣＰＵ１０１によって制御されるアナログ指針機構４０等を含み、計時制御回路部７００によって計時された現在時刻を表示する。
【００３２】
ＲＯＭ４００は、腕時計１００にかかるシステムプログラムやアプリケーションプログラム、本実施形態を実現するためのプログラムやデータ等を記憶する。
ＲＡＭ５００は、ＣＰＵ１０１の作業領域として用いられ、ＲＯＭ４００から読み出されたプログラムやデータ、ＣＰＵ１０１で処理されたデータ等を一時的に記憶する。
【００３３】
受信制御回路部６００は、アンテナ装置３０での受信信号から不要な周波数成分をカットして所定の周波数信号を取り出し、この周波数信号を対応する電気信号に変換してＣＰＵ１０１に出力する。
計時制御回路部７００は、発振回路部７２０から入力される信号を計数して現在時刻を計時し、現在時刻データをＣＰＵ１０１に出力する。
発振回路部７２０は、常時一定周波数のクロック信号を出力する回路である。
【００３４】
次に、本実施形態１の腕時計１００に備えられるアンテナ構造体３０の作用等について説明する。
【００３５】
外部磁性体３３、３３は、アンテナコア３１の一端部３１ｂと他端部３１ｃにそれぞれ磁気的に結合されて、アンテナコア３１の両端側に広く延在するように備えられている。このために、この外部磁性体３３は、標準電波の磁束を集め、集めた標準電波の磁束が、アンテナコア３１中を通過することとなって、その磁束の通過によってコイル３２に誘導起電力が生じる。この誘導起電力を検出することにより標準電波を受信する。
一方、外部磁性体３３は、モータＭ２の上面および下面側を覆っているため、外部磁性体３３が耐磁板として機能し、この外部磁性体３３により外部からの磁気が遮蔽され、外部磁気がモータＭ２に到達し難くなる。このために、モータＭ２に対する外部磁気の影響を低減することが可能になる。
更に、耐磁板３５は、モータＭ２とは別なモータＭ１の上面および下面側を覆っているため、この耐磁板３５により外部からの磁気が遮蔽され、外部磁気がモータＭ１に到達し難くなる。このために、モータＭ１に対する外部磁気の影響を低減することが可能になる。
【００３６】
以上のように、腕時計１００は、外部磁性体３３が連結されたアンテナ構造体３０を備えており、そのアンテナ構造体３０のアンテナコア３１の両端部に磁気的に結合されている一対の外部磁性体３３，３３が、標準電波の磁束を引き付けるように良好に集めて、アンテナコア３１を透過する磁束を良好に捕捉することができるので、標準電波の受信感度や受信精度を高めることができる。
特に、対をなす外部磁性体３３，３３が、ハウジング２０の上面側と下面側にそれぞれ配設されており、その外部磁性体３３，３３がモータＭ２の上面および下面側を覆い、外部からの磁気を遮蔽することで、外部磁気がモータＭ２に到達し難くなることから、モータＭ２に対する外部磁気の影響を低減して、時計精度を向上させることができる。
また、外部磁性体３３，３３では覆えない範囲のモータＭ１を覆う耐磁板３５が備えられているので、このモータＭ１に対する外部磁気の影響も低減することができ、時計精度を向上させることができる。
従って、この腕時計１００は、不要な外部磁気の遮断効果を有するとともに、標準電波の受信精度の向上を図ることが可能であり、良好な時計精度を維持することができる。
【００３７】
（実施形態２）
次に、本発明に係る電波受信装置を腕時計に適用した実施形態２について説明する。なお、実施形態１と同一部分には同一符号を付し、異なる部分についてのみ説明する。
【００３８】
図７は、実施形態２における腕時計２００を示す平面図であり、図８は時計ケースに設置されたアンテナ構造体の平面図、図９は図８のアンテナ構造体の斜視図、図１０は図８のX−X線に沿う矢視断面図である。
【００３９】
図７に示すように、腕時計２００は、機器本体２を備え、その機器本体２の上下両端部には時計バンドＢが取り付けられている。
機器本体２は、筒状の筐体である時計ケース１０と、この時計ケース１０の上部開口を閉塞する上部閉塞部材としての時計ガラス１２と文字板２１と、時計ケース１０の下部開口を閉塞する下部閉塞部材としての裏蓋１４等を備えている。
時計ケース１０の内部には、アンテナ構造体３０などが配設されたハウジング２０が納められている。
【００４０】
アンテナ構造体３０は、図７から図１０に示すように、磁性体であるアンテナコア３１と、このアンテナコア３１に巻回されたコイル３２と、を備えて構成されており、アンテナコア３１は、コイル３２が巻回されているコイル巻回部３１ａと、コイル３２が巻回されないコイル非巻回部である一端部３１ｂと他端部３１ｃと、を備えている。
そして、この一端部３１ｂと他端部３１ｃに外部磁性体６０が取り付けられている。
ている。
【００４１】
外部磁性体６０は、アンテナコア３１の一端部３１ｂ又は他端部３１ｂと磁気的に結合する磁気結合部６０ｂと、モータＭへの外部からの磁気を遮蔽するとともに外部からの電波の磁束を集める集磁部６０ａとを有している。
この外部磁性体６０は、例えば、フェライトや、アモルファス、パーマロイなど比較的高い透磁率を有する磁性材料からなり、略円形状の薄板の一部が切り欠かれた形状を呈するように形成されている。
【００４２】
外部磁性体６０は、ハウジング２０の上面側に位置する第一の外部磁性体６０Ｕと、ハウジング２０の下面側に位置する第二の外部磁性体６０Ｄと、によって構成されている。
そして、アンテナコア３１の他端部３１ｃに、第一の外部磁性体６０Ｕが磁気的に結合されており、また、アンテナコア３１の一端部３１ｂに、第二の外部磁性体６０Ｄが磁気的に結合されている。
具体的には、これら外部磁性体６０の磁気結合部６０ｂと、アンテナコア３１の一端部３１ｂおよび他端部３１ｃとは、磁性材料からなる磁性連結部材としてのねじ３４により連結されており、その結果、外部磁性体６０とアンテナコア３１とがこのねじ３４を介して磁気的に結合している。なお、ねじ３４は、パイプ状のワッシャ３６を介するように、外部磁性体６０とアンテナコア３１とを連結している。
【００４３】
第一の外部磁性体６０（６０Ｕ）は、ハウジング２０の上面側であって、モータＭ１及びモータＭ２と時計ガラス１２（文字板２１）との間に配置されている。
一方、第二の外部磁性体６０（６０Ｄ）は、ハウジング２０の下面側であって、モータＭ１及びモータＭ２と裏蓋１４（ハウジングケース１１）との間に配置されている。
すなわち、第一の外部磁性体６０Ｕと、第二の外部磁性体６０Ｄとが、ハウジング２０内に備えられているモータＭ１及びモータＭ２の上面側と下面側をそれぞれ覆うようになっている。より具体的には、第一の外部磁性体６０の集磁部６０ａと第二の外部磁性体６０の集磁部６０ａとがモータＭ１及びモータＭ２を上下に挟んで覆うようになっている。
【００４４】
なお、ハウジング２０により、アンテナコア３１の一端部３１ｂと他端部３１ｃとが磁気的に分離されている。
そして、アンテナコア３１の一端部３１ｂと他端部３１ｃに連結されている第一の外部磁性体６０Ｕと第二の外部磁性体６０Ｄとが接触しないように磁気的に分離されている。
また、第一の外部磁性体６０Ｕと第二の外部磁性体６０Ｄとは、ハウジング２０の上面および下面にそれぞれ配されており、そのハウジング２０によってその姿勢が安定するように支持されているので、それぞれ良好に電波の磁束を集めたり、確実に外部磁気を遮蔽したりするようになっている。
【００４５】
次に、本実施形態２の腕時計２００に備えられるアンテナ構造体３０の作用等について説明する。
【００４６】
アンテナ構造体３０における外部磁性体６０、６０は、アンテナコア３１の一端部３１ｂと他端部３１ｃにそれぞれ磁気的に結合されて、アンテナコア３１の両端側に広く延在するように備えられている。このために、この外部磁性体６０、６０は、標準電波の磁束を集め、集めた標準電波の磁束が、アンテナコア３１中を通過することとなって、その磁束の通過によってコイル３２に誘導起電力が生じる。この誘導起電力を検出することにより標準電波を受信する。
一方、外部磁性体６０、６０は、モータＭ１及びモータＭ２の上面および下面側を覆っているため、外部磁性体６０が耐磁板として機能し、この外部磁性体６０により外部からの磁気が遮蔽され、外部磁気がモータＭ１やモータＭ２に到達し難くなる。このために、モータＭ１とモータＭ２に対する外部磁気の影響を低減することが可能になる。
【００４７】
以上のように、腕時計２００は、外部磁性体６０が連結されたアンテナ構造体３０を備えており、そのアンテナ構造体３０のアンテナコア３１の両端部に磁気的に結合されている外部磁性体６０が、標準電波の磁束を引き付けるように良好に集めて、アンテナコア３１を透過する磁束を良好に捕捉することができるので、標準電波の受信感度や受信精度を高めることができる。
特に、２つの外部磁性体６０、６０が、ハウジング２０の上面側と下面側にそれぞれ配設されており、それら外部磁性体６０、６０がモータＭ１とモータＭ２の上面および下面側を覆い、外部からの磁気を遮蔽することで、外部磁気がモータＭ１とモータＭ２に到達し難くなることから、モータＭ１とモータＭ２に対する外部磁気の影響を低減して、時計精度を向上させることができる。
従って、この腕時計２００は、不要な外部磁気の遮断効果を有するとともに、標準電波の受信精度の向上を図ることが可能であり、良好な時計精度を維持することができる。
【００４８】
なお、以上の実施の形態においては、磁性連結部材のねじ３４によって、アンテナコア３１と外部磁性体（３３、６０）とを結合したが、本発明はこれに限定されるものではなく、例えば、導電性接着剤を用いて接合したり、溶接や圧着などの手法によって接続したりしてもよい。
また、磁性材料からなるパイプ状のワッシャ３６を磁性連結部材として用い、アンテナコア３１と外部磁性体（３３、６０）とを結合してもよい。
【００４９】
また、以上の実施の形態においては、電波受信装置として電波腕時計を例示して説明したが、電波受信機能を有する電子機器であれば本発明を適用することは可能である。例えば、適用可能な電子機器としては携帯電話やラジオ、携帯ゲーム機、デジタルオーディオプレーヤーなどが挙げられる。
【００５０】
また、その他、具体的な細部構造等についても適宜に変更可能であることは勿論である。
【図面の簡単な説明】
【００５１】
【図１】本発明に係る電波受信装置が適用された腕時計の実施形態１を示す正面図である。
【図２】図１の腕時計の分解斜視図である。
【図３】図１のIII−III線における矢視断面図である。
【図４】図１の腕時計内のアンテナ構造体を示す平面図である。
【図５】図４のV−V線における矢視断面図である。
【図６】腕時計の機能構成を示すブロック図である。
【図７】本発明に係る電波受信装置が適用された腕時計の実施形態２を示す正面図である。
【図８】図７の腕時計内のアンテナ構造体を示す平面図である。
【図９】実施形態２におけるアンテナ構造体を示す斜視図である。
【図１０】図８のX−X線における矢視断面図である。
【符号の説明】
【００５２】
２      機器本体
１０    時計ケース（筐体）
１１    ハウジングケース
１２    時計ガラス（上部閉塞部材）
１４    裏蓋（下部閉塞部材）
２０    ハウジング
２１    文字板
３０    アンテナ構造体
３１    アンテナコア
３１ａ  コイル巻回部
３１ｂ  一端部
３１ｃ  他端部
３２    コイル
３３（３３Ｕ、３３Ｄ）  外部磁性体
３３ａ  集磁部
３３ｂ  磁気結合部
３４    ねじ（磁性連結部材）
３５（３５Ｕ、３５Ｄ）  耐磁板
４０    アナログ指針機構
６０（６０Ｕ、６０Ｄ）  外部磁性体
６０ａ  集磁部
６０ｂ  磁気結合部
１００、２００  腕時計（電波受信装置）
Ｍ１    モータ（モータ）
Ｍ２    モータ（モータ）
【図１】
2009250667.tif 000003
【図２】
2009250667.tif 000004
【図３】
2009250667.tif 000005
【図４】
2009250667.tif 000006
【図５】
2009250667.tif 000007
【図６】
2009250667.tif 000008
【図７】
2009250667.tif 000009
【図８】
2009250667.tif 000010
【図９】
2009250667.tif 000011
【図１０】
2009250667.tif 000012